(57)【要約】データ送信装置（１０）には、送信側の機器から出力された、バイフェーズマーク変調された送信データが入力され、バイフェーズデコード部（１２）は、入力された送信データをバイフェーズマーク復調する。バイフェーズデコード部（１２）の出力データは送信部（１４）を通じてデータ受信装置へ伝送される。一方、データ受信装置では、データ送信装置（１０）から受信したデータをバイフェーズマーク変調した後、受信側の機器へと供給する。【特許請求の範囲】
【請求項１】
バイフェーズマーク変調された送信データに基づいて送信信号を生成して出力するデータ送信装置であって、
前記送信データをバイフェーズマーク復調するバイフェーズデコード部と、
前記バイフェーズデコード部の出力データに基づいて送信信号を生成して出力する送信部とを備えることを特徴とする、データ送信装置。
【請求項２】
前記送信部は、前記バイフェーズデコード部の出力データの各シンボルを複数の信号レベルのいずれかにマッピングするマッピング部を含み、当該前記マッピング部の出力データに基づいて送信信号を生成することを特徴とする、請求項１に記載のデータ送信装置。
【請求項３】
前記マッピング部は、ある基準レベルに対する各シンボルの信号レベルの大小関係が１シンボル毎に常に反転するようにマッピングすることを特徴とする、請求項２に記載のデータ送信装置。
【請求項４】
前記送信データは、バイフェーズマーク変調が適用されたデータ部と、バイフェーズマーク変調が適用されていない非データ部とから構成され、
前記バイフェーズデコード部は、前記非データ部を検出し、
前記マッピング部は、前記バイフェーズデコード部が前記非データ部を検出すると、該非データ部をデータ部とは別のマッピングテーブルを用いてマッピングすることを特徴とする、請求項３に記載のデータ送信装置。
【請求項５】
バイフェーズマーク変調機能を有し、さらに請求項１に記載のデータ送信装置を備えることを特徴とする、車載機器。
【請求項６】
受信信号に基づいて受信データを生成して出力するデータ受信装置であって、
前記受信信号を受信する受信部と、
前記受信部の出力データをバイフェーズマーク変調することによって前記受信データを生成して出力するバイフェーズエンコード部とを備えることを特徴とする、データ受信装置。
【請求項７】
前記受信部は、前記受信信号の各シンボルの信号レベルに基づいて、該信号レベルに応じたデータを出力する判定部を含むことを特徴とする、請求項６に記載のデータ受信装置。
【請求項８】
前記受信信号は、データ部と非データ部とから構成され、
前記受信部は、前記非データ部を検出し、
前記バイフェーズエンコード部は、前記受信部が前記非データ部を検出すると、該非データ部を変換テーブルを用いて予め定められたビット列に変換することを特徴とする、請求項６または７に記載のデータ受信装置。
【請求項９】
前記受信部は、前記受信信号から再生されたクロック信号に基づいて前記出力データを生成することを特徴とする、請求項６に記載のデータ受信装置。
【請求項１０】
バイフェーズマーク復調機能を有し、さらに請求項６に記載のデータ受信装置を備えることを特徴とする、車載機器。
【請求項１１】
バイフェーズマーク変調された送信データを伝送するためのデータ伝送方法であって、
送信側では前記送信データをバイフェーズマーク復調してから送信し、
受信側では受信データをバイフェーズマーク変調することによって前記送信データを再生することを特徴とする、データ伝送方法。
【発明の詳細な説明】
【技術分野】  本発明は、データ送信装置、データ受信装置およびデータ伝送方法に関し、より特定的には、バイフェーズマーク変調された送信データを伝送するためのデータ送信装置、データ受信装置およびデータ伝送方法に関する。
【背景技術】  従来、２台の機器間でデジタルオーディオデータを転送する際には、例えばＳ／ＰＤＩＦ（Ｓｏｎｙ／Ｐｈｉｌｉｐｓ  Ｄｉｇｉｔａｌ  Ｉｎｔｅｒｆａｃｅ）のフォーマットに規定されているように、一般にバイフェーズマーク変調が用いられる。バイフェーズマーク変調では、図１８に示すように、元データの各ビットが２つの論理値でそれぞれ表される。バイフェーズマーク変調後において、元データの論理「１」については１ビット期間の中央で状態遷移が生じ（例えば０→１または１→０）、元データの論理「０」については１ビット期間の中央でも状態遷移が生じない（例えば０→０または１→１）。さらに、元データの各ビットの境界では論理値が必ず反転する（つまりバイフェーズマーク変調後において、直前の論理値が０なら１に、１なら０に反転する）。
このように、バイフェーズマーク変調を用いれば、元データの各ビットの境界において論理値が必ず変化するため、元データにおいて０や１が連続するような場合でも、別途クロック信号を送信することなく、受信側の機器は転送データからクロック信号を容易に再生することができる。
図１９に、Ｓ／ＰＤＩＦのフレーム構成を示す。Ｓ／ＰＤＩＦのフレームはデータ部とヘッダ部で構成され、データ部にはバイフェーズマーク変調が適用される。
ところで、近年、車内ＬＡＮを利用して車載機器間のデータ転送を実現するための通信プロトコルとして、ＭＯＳＴ（Ｍｅｄｉａ  Ｏｒｉｅｎｔｅｄ  Ｓｙｓｔｅｍｓ  Ｔｒａｎｓｐｏｒｔ）と呼ばれる通信プロトコルがある。ＭＯＳＴでは、フレー厶（ＭＯＳＴフレーム）単位でデータ転送が行われるが、ＭＯＳＴフレームにもこのバイフェーズマーク変調が適用される。
図２０に、従来のＭＯＳＴの送受信装置の代表的な構成を示す。送受信装置９０には、ＭＯＳＴコントローラ９１、Ｅ／Ｏ変換器９２、Ｏ／Ｅ変換器９３が設けられている。ＭＯＳＴコントローラ９１には送信データが入力され、ＭＯＳＴコントローラ９１は、所定の処理を行い、バイフェーズマーク変調されたＭＯＳＴフレームをＥ／Ｏ変換器９２へと出力する。Ｅ／Ｏ変換器９２は、ＭＯＳＴコントローラ９１からのＭＯＳＴフレーム（電気信号）を光信号に変換し、光ファイバ９４を通じて光信号を他の送受信装置へ出力する。一方、送受信装置９０には、光ファイバ９５を通じて他の送受信装置からの光信号が入力される。入力された光信号は、Ｏ／Ｅ変換器９３によって電気信号に変換され、ＭＯＳＴフレームとしてＭＯＳＴコントローラ９１に入力される。ＭＯＳＴコントローラ９１は、ＭＯＳＴフレームに対して所定の処理を行って、受信データを出力する。
なお、ＭＯＳＴはリング型のＬＡＮであり、ＰＯＦ（プラスチック光ファイバ）を用いたデータ転送に最適化された通信プロトコルではあるが、伝送媒体としてツイストペアケーブルや同軸ケーブルなどの導線を利用することもできる。導線を利用することのメリットとしては、扱いが容易であることが挙げられる。
ところが、バイフェーズマーク変調を用いたデータ転送は、クロック信号の転送が不要となる反面、所定のデータ転送速度を実現するのに必要となる伝送帯域が増大してしまう。例えば、図２０に示すように、２５Ｍｂｐｓの実効転送速度を実現するために、ＭＯＳＴでは５０Ｍｂｐｓのデータ転送速度が必要となる。よって、車載機器などから出力されるバイフェーズマーク変調された送信データをそのまま車内ネットワークに送出すると、伝送媒体として外部に影響を与える可能性の少ないツイストペアケーブルを用いたとしても、外部に放出される電磁放射の影響は無視できなくなる。
そこで、上記の問題を解決するために、ＭＯＳＴコントローラ９１から出力された送信データの各２ビットを１シンボルとして所定の信号レベルにマッピングして伝送することが考えられる（例えば、国際公開第０２／３００７５号パンフレット（第１６図、第１７図）参照。）。
図２１に、ＭＯＳＴフレー厶をツイストペアケーブルで伝送する際の送受信装置の構成例を示す。図２１において、ＭＯＳＴコントローラ９１から出力されたＭＯＳＴフレーム（シリアルデータ）は、ｓ／ｐ変換部９７において２ビット毎のパラレルデータに変換される。８値マッピング部９８は、ｓ／ｐ変換部９７から順次出力される２ビットのデータを１シンボルとして所定の信号レベルにマッピングする（より正確には直前のシンボルに対する信号レベルの変動量に対して各シンボルをマッピングしているのであるが、ここでは詳細な説明を省略する。）。図２２に、この８値マッピング部９８の処理結果の一例を示す。この８値マッピング部９８の処理結果は、Ｄ／Ａ変換部９９においてアナログ信号に変換された後、差動ドライバ１００を通じてツイストペアケーブル１０５に出力される。なお、図示は省略するが、送受信装置９６には、８値マッピング部９８の後段においてロールオフフィルタ等のデジタルフィルタが設けられ、Ｄ／Ａ変換部９９の後段などにおいてアナログフィルタが設けられる。
一方、差動レシーバ１０４にはツイストペアケーブル１０６を通じて受信した他のデータ伝送装置からの信号が入力される。この受信信号は、差動レシーバ１０４を通じてＡ／Ｄ変換部１０３に入力され、デジタル信号に変換される。Ａ／Ｄ変換部１０３からの出力データは８値判定部１０２に供給され、各シンボルが、その信号レベルに基づいて２ビットのパラレルデータに変換される。８値判定部１０２から出力された２ビット毎のパラレルデータはｐ／ｓ変換部１０１においてシリアルデータに変換され、ＭＯＳＴコントローラ９１に入力される。ＭＯＳＴコントローラ９１は、入力されたＭＯＳＴフレームに基づいて受信データを出力する。
このように、ＭＯＳＴコントローラ９１から出力された送信データの各２ビットを１シンボルとして所定の信号レベルにマッピングして伝送することにより、１ビットを１シンボルとして伝送する場合に比べて、シンボルレートを半分に抑えることができ、電磁放射を低減することができる。なお、図２２に示すようにシンボル毎に信号レベルの極性が常に反転するようにマッピングすることによって、送信信号には常にシンボル周波数の半分の周波数成分が含まれることになるので、受信側の機器において、ＰＬＬ（Ｐｈａｓｅ  Ｌｏｃｋ  Ｌｏｏｐ）による、より確実なクロック再生が可能となる。
【発明の開示】
しかしながら、図２２に示すようなマッピングによって１シンボルで２ビット分の情報を伝送する場合、各シンボルを８つの信号レベルのいずれかにマッピング（以下、このようなマッピングを８値マッピングと称す。）しているため、受信側において信号レベルを判定するための閾値の間隔が狭くなってしまい、伝送誤りが発生しやすいという問題がある。
それゆえに、本発明は、バイフェーズマーク変調された送信データを送受信する際に、電磁放射をより低減でき、かつ伝送誤りをより低減することのできるデータ送信装置、データ受信装置およびデータ伝送方法を提供することを目的とする。
本発明は、上記課題を解決するために以下の構成を採用した。なお、括弧内の参照符号等は、本発明の理解を助けるために、後述する実施形態との対応関係を示したものであって、本発明の範囲を何ら限定するものではない。
本発明のデータ送信装置（１０）は、バイフェーズマーク変調された送信データに基づいて送信信号を生成して出力するものであって、送信データをバイフェーズマーク復調するバイフェーズデコード部（１２）と、バイフェーズデコード部の出力データに基づいて送信信号を生成して出力する送信部（１４）とを備えることを特徴とする。これにより、バイフェーズマーク変調された送信データを送受信する際に、電磁放射をより低減でき、かつ伝送誤りをより低減することができる。
また、本発明の車載機器は、バイフェーズマーク変調機能を有し、さらに上記のデータ送信装置を備えることを特徴とする。これにより、バイフェーズマーク変調された送信データを送受信する際に、車載機器が有しているバイフェーズマーク変調機能に何ら変更を加えることなく、電磁放射をより低減でき、かつ伝送誤りをより低減することができる。
また、本発明のデータ受信装置（２２）は、受信信号に基づいて受信データを生成して出力するものであって、受信信号を受信する受信部（２６）と、受信部の出力データをバイフェーズマーク変調することによって受信データを生成して出力するバイフェーズエンコード部（２４）とを備えることを特徴とする。これにより、バイフェーズマーク変調された送信データを送受信する際に、電磁放射をより低減でき、かつ伝送誤りをより低減することができる。
また、本発明の車載機器は、バイフェーズマーク復調機能を有し、さらに上記のデータ受信装置を備えることを特徴とする。これにより、バイフェーズマーク変調された送信データを送受信する際に、車載機器が有しているバイフェーズマーク復調機能に何ら変更を加えることなく、電磁放射をより低減でき、かつ伝送誤りをより低減することができる。
また、本発明のデータ伝送方法は、バイフェーズマーク変調された送信データを伝送するためのものであって、送信側では送信データをバイフェーズマーク復調してから送信し、受信側では受信データをバイフェーズマーク変調することによって送信データを再生することを特徴とする。これにより、バイフェーズマーク変調された送信データを送受信する際に、送信側の機器が有している、転送すべき元データをバイフェーズマーク変調して送信データを生成する機能や、受信側の機器が有している、受信データをバイフェーズマーク復調して元データを再生する機能に何ら変更を加えることなく、電磁放射をより低減でき、かつ伝送誤りをより低減することができる。
【図面の簡単な説明】  図１は、本発明の一実施形態に係るデータ送信装置の構成を示すブロック図である。
図２は、バイフェーズデコード部１２の入出力の関係を示す図である。
図３は、送信部１４の構成を示すブロック図である。
図４は、４値マッピング部１６の動作を説明するための図である。
図５は、４値マッピング部１６の動作を説明するための図である。
図６は、４値マッピング部１６で参照されるマッピングテーブルを示す図である。
図７は、本発明の一実施形態に係るデータ受信装置の構成を示すブロック図である。
図８は、受信部２６の構成を示すブロック図である。
図９は、差分算出部３０の動作を説明するための図である。
図１０は、４値判定部２８の動作を説明するための図である。
図１１は、バイフェーズエンコード部２４の入出力の関係を示す図である。
図１２は、Ｓ／ＰＤＩＦにおけるフレーム構造を示す図である。
図１３は、ヘッダ部用マッピングテーブルの一例を示す図である。
図１４は、各ヘッダをマッピングした際の各シンボルの信号レベルを示す図である。
図１５は、各ヘッダをマッピングした際の各シンボルの信号レベルを示す他の図である。
図１６は、図１３のマッピングテーブルに基づいてマッピングされたヘッダ部を含む送信信号の波形を示す図である。
図１７は、ヘッダ部用変換テーブルの一例を示す図である。
図１８は、バイフェーズマーク変調について説明するための図である。
図１９は、Ｓ／ＰＤＩＦフレームの構成を示す図である。
図２０は、ＭＯＳＴフレームを光ファイバを通じて送受信する従来の送受信装置の構成を示す図である。
図２１は、ＭＯＳＴフレームを導線を通じて送受信する従来の送受信装置の構成を示す図である。
図２２は、８値マッピングについて説明するための図である。
【発明を実施するための最良の形態】  以下、本発明の一実施形態に係るデータ送信装置およびデータ受信装置について図面を参照して説明する。図１に、データ送信装置の構成を示す。図１において、データ送信装置１０には、図示しない送信側の機器から出力された、バイフェーズマーク変調された送信データが入力される。データ送信装置１０は、入力された送信データをバイフェーズマーク復調するバイフェーズデコード部１２と、バイフェーズデコード部１２の出力データを伝送路へ出力するのに適した電気信号に変換する送信部１４とを備える。送信部１４において生成された電気信号は、送信信号としてツイストペアケーブルなどの導線を通じて伝送される。なお、ここでは送信部１４が電気信号を出力するものとして説明するが、本発明はこれに限らず、送信部が光信号を出力しても構わない。また、送信側の機器からデータ送信装置１０に入力されるバイフェーズマーク変調された送信データも光信号であっても構わない。
図２に、元データおよびバイフェーズデコード部１２の入出力の関係を示す。送信側の機器は、受信側の機器へ転送すべきデータ（元データ）をバイフェーズマーク変調して出力する機能を有している。バイフェーズデコード部１２は、この送信側の機器においてバイフェーズマーク変調された送信データをバイフェーズマーク復調する。この結果、図２に示すように、バイフェーズデコード部１２の出力データは元データに相当するデータとなる。
図３に、送信部１４の構成を示す。ただし、図３は送信部の構成の一例にすぎず、ここではバイフェーズデコード部１２の出力データの各ビットを１シンボルとして所定の４つの信号レベルのいずれかに順次マッピングし、そうして得られた信号をツイストペアケーブルを用いて差分伝送する（つまり、ツイストペアケーブルの１対の線で、それぞれ極性の反転した信号を伝送する）場合の構成を示している。
図３において、送信部１４は、バイフェーズデコード部１２の出力データに対して４値マッピング（この処理の詳細は後述する）を行う４値マッピング部１６と、４値マッピング部１６から出力されたデジタル信号をアナログ信号に変換するＤ／Ａ変換部１８と、Ｄ／Ａ変換後の信号に基づいてツイストペアケーブルの１対の線に互いに対称的な信号を送信する差動ドライバ２０とを備える。なお、図示は省略するが、４値マッピング部１６の後段においてロールオフフィルタ等のデジタルフィルタが設けられ、Ｄ／Ａ変換部１８の後段などにはアナログフィルタが適宜に設けられる。
図４および図５を参照して、４値マッピング部１６の動作について説明する。
４値マッピング部１６は、バイフェーズデコード部１２の出力データの各シンボル（ここでは１ビットのデータ）を、図４に示すような４つの信号レベル（＋１．５、＋０．５、−０．５、−１．５）のいずれかに順次マッピングする。ただし、これらの信号レベルの値は単なる一例に過ぎない。これら４つの信号レベルは、基準レベル（ここではレベル零）を境にして上位レベル（＋１．５、＋０．５）と下位レベル（−０．５、−１．５）とに区分され、送信データの各シンボルは、上位レベルと下位レベルに交互にマッピングされる。このマッピングは、４値マッピング部１６が保持しているマッピングテーブルに従って行われる。４値マッピング部１６は、図５に示すように、マッピングしようとするシンボルの符号と、このマッピングしようとするシンボルの直前のシンボルの信号レベルとに基づいて信号レベルを決定する。例えば、マッピングしようとするシンボルの符号が１であって、その直前のシンボルの信号レベルが＋１．５であった場合には、マッピングしようとするシンボルは−０．５の信号レベルにマッピングされることになる（図５参照）。
図６に、４値マッピング部１６が保持しているマッピングテーブルの具体例を示す。なお、図６に示すマッピングテーブルにおいて、括弧内の数字は直前の信号レベルとの差を示しており、後述するデータ受信装置では、この差に基づいて、マッピング処理前のデータを再生する。つまり、直前のシンボルとの信号レベルの差が−３、−１、＋１、＋３のいずれかであれば、送信データは０であると判定することができ、一方、直前のシンボルとの信号レベルの差が−２、＋２のいずれかであれば、送信データは０であると判定することができる。このように、連続するシンボル間の信号レベルの差に対してデータを乗せて伝送すれば、データを再生する際に、基準となる信号レベル（例えばグランドレベル）が不要となる。これは、データ送信装置とデータ受信装置とで基準となる信号レベルが異なる場合に特に有効である。ただし、本発明はこれに限定されず、例えば、直前のシンボルの信号レベルに関係なく、シンボル０については＋０．５または−０．５の信号レベルにマッピングし、シンボル１については＋１．５または−１．５の信号レベルにマッピングするようにしてもよいし、シンボル０とシンボル１をそれぞれ２値のレベルにマッピングするようにしてもよい。
図７にデータ受信装置の構成を示す。図７において、データ受信装置２２は、バイフェーズエンコード部２４と受信部２６を含んでいる。受信部２６には、図１に示したデータ送信装置１０から送信された信号がツイストペアケーブルを通じて入力される。図８に、受信部２６の構成の一例を示す。差動レシーバ３４は、ツイストペアケーブルの２本の線によって伝送された信号の差分を出力し、この出力は、Ａ／Ｄ変換部３２によってデジタル信号に変換される。Ａ／Ｄ変換部３２の出力データは差分算出部３０に入力され、差分算出部３０は、シンボル毎に、直前のシンボルとの間の信号レベルの差分を順次算出して出力する。図９に、受信信号と差分算出部３０の算出結果との関係を示す。この差分算出部３０の算出結果は、４値判定部２８に入力される。
４値判定部２８は、図１０に示す変換テーブルを参照して、差分算出結果を０または１の符号に順次変換して出力する。つまり、差分算出結果が−３、−１、＋１、＋３のいずれかであった場合には０を出力し、差分算出結果が−２または＋２であった場合には１を出力する。このようにして、４値判定部２８からデータが順次出力される。
４値判定部２８の出力データは、図７におけるバイフェーズエンコード部２４に入力される。バイフェーズエンコード部２４は、図１１に示すように、入力されたデータをバイフェーズマーク変調し、図示しない受信側の機器へと出力する。バイフェーズエンコード部２４の出力は、図１に示したバイフェーズデコード部１２の入力に相当する。受信側の機器は、バイフェーズマーク復調機能を有しており、このバイフェーズエンコード部２４の出力データに基づいて元データを再生することができる。
以上のように、本実施形態によれば、バイフェーズマーク変調された送信データをバイフェーズマーク復調してから伝送することによって、所定の実効転送速度を達成するために必要となる伝送ビットレートを半分に抑えることができる。これにより、例えばバイフェーズマーク変調された送信データを送受信する場合においても、電磁放射をより低減でき、かつ伝送誤りをより低減することができる。そして特に車内環境では電磁放射の影響が深刻な問題となるため、車載機器間でツイストペアケーブル等の導線を利用してデータ転送を行う場合に非常に有効である。しかも、既存の送信側の機器や受信側の機器の構成に特別な変更を要することなく、電磁放射をより低減でき、かつ伝送誤りをより低減することができる。
なお、本実施形態では、データ送信装置およびデータ受信装置がそれぞれデータ送信機能およびデータ受信機能のみを備えていたが、これらの装置をデータ送信機能とデータ受信機能の両方の機能を備えたデータ送受信装置として構成しても構わない。
また、本実施形態では、送信部１４において４値マッピングを行うとしたが、本発明はこれに限らず、例えば図２２に示した８値マッピングなど、任意のマッピングを採用することができる。ただし、送信側から受信側へクロック信号を別途伝送する必要がないように、受信側において受信信号からクロック信号を再生することが容易となるマッピング方式（例えば、図４や図２２に示したように、ある基準レベルに対する各シンボルの信号レベルの大小関係が１シンボル毎に常に反転するようなマッピング方式）を採用するのが好ましい。これにより、バイフェーズマーク変調を用いたデータ転送の利点の一つ（受信側において受信信号からクロック信号を容易に再生することができるという利点）を損なうことなく、本発明の効果を得ることができる。
また、本実施形態では、送信側の機器とデータ送信装置が独立しているような構成としたが、本発明はこれに限らず、例えばデータ送信装置が送信側の機器に内蔵されていても構わない。受信側の機器およびデータ受信装置についても同様である。
なお、図１９に示したように、Ｓ／ＰＤＩＦではフレーム単位でデータ転送が行われ、データ部にはバイフェーズマーク変調が適用される。このＳ／ＰＤＩＦフレームのヘッダ部に関しては、前述したように、バイフェーズマーク変調は適用されない。したがって、本発明をＳ／ＰＤＩＦのシステムに適用するときには、ヘッダ部に関してはバイフェーズデコード部１２で復調することはできないので、ヘッダ部とデータ部とをデータ送信装置からデータ受信装置へ個別に伝送したり、バイフェーズデコード部１２から出力されたデータ部に対してヘッダ部に対応したデータを付加したり、データ部のマッピングテーブルとは別のマッピングテーブルに従ってヘッダ部のマッピングを行うといった対策が必要となることは言うまでもない。
以下、データ部のマッピングテーブルとは別のマッピングテーブルに従ってヘッダ部のマッピングを行った場合のデータ伝送動作の一例を示す。
図１２は、Ｓ／ＰＤＩＦにおけるフレーム構造を示す図である。図１２の通り、Ｓ／ＰＤＩＦには３種類のヘッダ（Ｂヘッダ、Ｍヘッダ、Ｗヘッダ）が規定されており、ヘッダ部の直前のデータの値によってそれぞれ２通りのヘッダ構造が規定されている。具体的には、ヘッダ部の直前のデータ値が０の場合は（ａ）（ｂ）（ｃ）のヘッダ構造が、１の場合は（ｄ）（ｅ）（ｆ）のヘッダ構造がそれぞれ規定されている。
まずデータ送信装置では、図１のバイフェーズデコード部１２において、送信側の機器から入力される送信データについて、上記図１２（ａ）（ｂ）（ｃ）あるいは（ｄ）（ｅ）（ｆ）のヘッダ構造をパターンマッチングして、Ｂヘッダ、Ｍヘッダ、Ｗヘッダを識別する。ヘッダを識別すると、図３の４値マッピング部１６は、データ部用とは別のヘッダ部用のマッピングテーブルを用いてヘッダ部のマッピングを行う。図１３は、ヘッダ部用マッピングテーブルの一例である。このマッピングテーブルでは、ヘッダ部を計４シンボルにマッピングし、最初の２シンボルで信号レベル０を繰り返し、続く２シンボルで３種類のヘッダを区別するマッピングを規定している。例えばＢヘッダの場合は、「０、０、＋１．５、−０．５」または「０、０、−１．５、＋０．５」を順にマッピングする。なおここでは、ヘッダ部の直前にマッピングされたシンボルの信号レベルが、基準レベルに対して上だった場合は「０、０、−１．５、＋０．５」を、下だった場合は「０、０、＋１．５、−０．５」をマッピングする。これは、前述の通り、本マッピング方式ではクロック信号の再生を容易にするために、基準レベルに対する各シンボルの信号レベルの大小関係が１シンボル毎に常に反転することが好ましく、当該ヘッダ部４シンボルを挟んだ前後のデータ部のシンボルにおいて、この大小関係の順番が維持されているのが好ましいからである。具体的には、ヘッダ部の直前にマッピングされたシンボルの信号レベルが基準レベルに対して上だった場合は、ヘッダ部の直後のシンボルの信号レベルは基準レベルに対して下にマッピングされ、ヘッダ部の直前にマッピングされたシンボルの信号レベルが基準レベルに対して下だった場合は、ヘッダ部の直後のシンボルの信号レベルは基準レベルに対して上にマッピングされることが好ましい。またこれにより、ヘッダ部の最後のシンボル（４シンボル目）を、その直後のシンボルの信号レベルが基準レベルに対して下にマッピングされるべき場合は、基準レベルに対して上に、その直後のシンボルの信号レベルが基準レベルに対して上にマッピングされるべき場合は、基準レベルに対して下にマッピングすることで、ヘッダ部の直後にマッピングされたシンボルを受信側で変換する際、通常のデータ部用の変換テーブル（図１０）を用いて変換することが可能である。このため、本マッピングテーブル例では、Ｂ、Ｍ、Ｗ各ヘッダについて、ヘッダ部の最後のシンボル（４シンボル目）を基準レベルに対して上と下にマッピングする場合の２通りのマッピングパターンをそれぞれ用意している。
図１４は、ヘッダ部の直前のシンボルの信号レベルが基準レベルに対して下にマッピングされた時、各ヘッダを図１３のマッピングテーブルに基づいてマッピングした際の、各シンボルの信号レベルを示す図である。Ｓ／ＰＤＩＦについてはヘッダの種類が３種類しか規定されていないが、このマッピング方法を採用すれば、さらに多くの種類のヘッダを区別することが可能であるため、例えば図１４（ｄ）のパターンを４種類目のヘッダとして適用することが可能である。
図１５は、ヘッダ部の直前のシンボルの信号レベルが基準レベルに対して上にマッピングされた時、各ヘッダを図１３のマッピングテーブルに基づいてマッピングした際の、各シンボルの信号レベルを示す図である。やはりこちらも例えば図１５（ｄ）のパターンを４種類目のヘッダとして適用することが可能である。
図１３のマッピングテーブルに基づいてマッピングされたヘッダ部を含む送信信号の波形は、図１６のような波形となる。つまり、ヘッダ部の直前のシンボルの信号レベルが基準レベルに対して上にマッピングされた場合は図１６（ｂ）のような波形となり、下にマッピングされた場合は図１６（ａ）のような波形となる。
次にデータ受信装置では、図１６の波形を持つ受信信号を受信し、図８の差分算出部３０では、ヘッダ部を受信すると、その差分値からヘッダ部を識別し、図７のバイフェーズエンコード部２４ではこのヘッダ部に相当する箇所に図１７の変換テーブルに基づいて変換されたヘッダ部を挿入して受信データを生成し、受信側の機器へ送出する。ここで、前述の通り、Ｓ／ＰＤＩＦにおいてはＢヘッダ、Ｍヘッダ、Ｗヘッダは、その直前のデータ値により図１２の（ａ）（ｂ）（ｃ）もしくは（ｄ）（ｅ）（ｆ）のそれぞれ２種類ずつの構造を有する。従って、該バイフェーズエンコード部２４は、ヘッダの直前のデータの判定値が０の場合と１の場合とで、変換するビット列を変える必要がある。例えばＢヘッダの場合、直前のデータ判定値が０の場合は「１１１０１０００」に、１の場合は「０００１０１１１」に変換する。
以上のように、ヘッダ部特有のマッピングテーブルおよび変換テーブルを用いることにより、バイフェーズマークが適用されないヘッダについても伝送可能であり、本発明を適用することができる。
なお、本発明は、図２０に示したバイフェーズマーク変調を行ったデータを伝送するＭＯＳＴのシステムにも同様に適用することが可能である。
【産業上の利用可能性】  本発明は、例えば、車内ＬＡＮ等において複数の機器間でバイフェーズマーク変調されたデータをやりとりするようなシステムに好適である。
【図１】
2005074220.tif 000002
【図２】
2005074220.tif 000003
【図３】
2005074220.tif 000004
【図４】
2005074220.tif 000005
【図５】
2005074220.tif 000006
【図６】
2005074220.tif 000007
【図７】
2005074220.tif 000008
【図８】
2005074220.tif 000009
【図９】
2005074220.tif 000010
【図１０】
2005074220.tif 000011
【図１１】
2005074220.tif 000012
【図１２】
2005074220.tif 000013
【図１３】
2005074220.tif 000014
【図１４】
2005074220.tif 000015
【図１５】
2005074220.tif 000016
【図１６】
2005074220.tif 000017
【図１７】
2005074220.tif 000018
【図１８】
2005074220.tif 000019
【図１９】
2005074220.tif 000020
【図２０】
2005074220.tif 000021
【図２１】
2005074220.tif 000022
【図２２】
2005074220.tif 000023
【手続補正書】
【提出日】平成16年7月26日(2004.7.26)
【手続補正００１】
【補正対象書類名】特許請求の範囲
【補正対象項目名】全文
【補正方法】変更
【補正の内容】
【書類名】特許請求の範囲
【請求項１】バイフェーズマーク変調された送信データに基づいて送信信号を生成して出力するデータ送信装置であって、
前記送信データをバイフェーズマーク復調するバイフェーズデコード部と、
前記バイフェーズデコード部の出力データに基づいて送信信号を生成して出力する送信部とを備え、
前記送信部は、前記バイフェーズデコード部の出力データの各シンボルを複数の信号レベルのいずれかにマッピングするマッピング部を含み、当該マッピング部の出力データに基づいて送信信号を生成し、
前記送信データは、バイフェーズマーク変調が適用されたデータ部と、バイフェーズマーク変調が適用されていない非データ部とから構成され、
前記バイフェーズデコード部は、前記非データ部を検出し、
前記マッピング部は、前記バイフェーズデコード部が前記非データ部を検出すると、該非データ部をデータ部とは別のマッピングテーブルを用いてマッピングすることを特徴とする、データ送信装置。
【請求項２】（削除）
【請求項３】前記マッピング部は、ある基準レベルに対する各シンボルの信号レベルの大小関係が１シンボル毎に常に反転するようにマッピングすることを特徴とする、請求項１に記載のデータ送信装置。
【請求項４】（削除）
【請求項５】バイフェーズマーク変調機能を有し、さらに請求項１に記載のデータ送信装置を備えることを特徴とする、車載機器。
【請求項６】受信信号に基づいて受信データを生成して出力するデータ受信装置であって、
前記受信信号を受信する受信部と、
前記受信部の出力データをバイフェーズマーク変調することによって前記受信データを生成して出力するバイフェーズエンコード部とを備え、
前記受信信号は、データ部と非データ部とから構成され、
前記受信部は、前記非データ部を検出し、
前記バイフェーズエンコード部は、前記受信部が前記非データ部を検出すると、該非データ部を変換テーブルを用いて予め定められたビット列に変換することを特徴とする、データ受信装置。
【請求項７】前記受信部は、前記受信信号の各シンボルの信号レベルに基づいて、該信号レベルに応じたデータを出力する判定部を含むことを特徴とする、請求項６に記載のデータ受信装置。
【請求項８】（削除）
【請求項９】前記受信部は、前記受信信号から再生されたクロック信号に基づいて前記出力データを生成することを特徴とする、請求項６に記載のデータ受信装置。
【請求項１０】バイフェーズマーク復調機能を有し、さらに請求項６に記載のデータ受信装置を備えることを特徴とする、車載機器。
【請求項１１】バイフェーズマーク変調が適用されたデータ部とバイフェーズマーク変調が適用されていない非データ部とから構成される送信データを伝送するためのデータ伝送方法であって、
前記送信データのデータ部をバイフェーズマーク復調し、当該バイフェーズマーク変調結果の各シンボルを複数の信号レベルのいずれかにマッピングするステップと、
前記送信データから非データ部を検出し、当該検出した非データ部をデータ部とは別のマッピングテーブルを用いてマッピングするステップと、
前記データ部および前記非データ部のマッピング結果に基づいて送信信号を生成するステップと、
生成した送信信号を伝送するステップと、
伝送された送信信号を受信信号として受信するステップと、
前記受信信号のうちの前記データ部に対応する部分をバイフェーズマーク変調するステップと、
前記受信信号から前記非データ部に対応する部分を検出して、当該検出した部分を変換テーブルを用いて予め定められたビット列に変換するステップとを備えた、データ伝送方法。
【請求項１２】バイフェーズマーク変調された送信データに基づいて送信信号を生成して出力するデータ送信部と、受信信号に基づいて受信データを生成して出力するデータ受信部とを備えたデータ送受信装置であって、
前記データ送信部は、前記送信データをバイフェーズマーク復調するバイフェーズデコード部と、前記バイフェーズデコード部の出力データに基づいて送信信号を生成して出力する送信部とを備え、
前記送信部は、前記バイフェーズデコード部の出力データの各シンボルを複数の信号レベルのいずれかにマッピングするマッピング部を含み、当該マッピング部の出力データに基づいて送信信号を生成し、
前記送信データは、バイフェーズマーク変調が適用されたデータ部と、バイフェーズマーク変調が適用されていない非データ部とから構成され、
前記バイフェーズデコード部は、前記送信データの非データ部を検出し、
前記マッピング部は、前記バイフェーズデコード部が前記送信データの非データ部を検出すると、該非データ部をデータ部とは別のマッピングテーブルを用いてマッピングし、
前記データ受信部は、前記受信信号を受信する受信部と、前記受信部の出力データをバイフェーズマーク変調することによって前記受信データを生成して出力するバイフェーズエンコード部とを備え、
前記受信信号は、データ部と非データ部とから構成され、
前記受信部は、前記受信信号の非データ部を検出し、
前記バイフェーズエンコード部は、前記受信部が前記受信信号の非データ部を検出すると、該非データ部を変換テーブルを用いて予め定められたビット列に変換することを特徴とする、データ送受信装置。
【手続補正００２】
【補正対象書類名】明細書
【補正対象項目名】０００６
【補正方法】変更
【補正の内容】
【０００６】
かつ伝送誤りをより低減することのできるデータ送信装置、データ受信装置およびデータ伝送方法を提供することを目的とする。
本発明は、上記課題を解決するために以下の構成を採用した。なお、括弧内の参照符号等は、本発明の理解を助けるために、後述する実施形態との対応関係を示したものであって、本発明の範囲を何ら限定するものではない。
本発明のデータ送信装置（１０）は、バイフェーズマーク変調された送信データに基づいて送信信号を生成して出力するものであって、送信データをバイフェーズマーク復調するバイフェーズデコード部（１２）と、バイフェーズデコード部の出力データに基づいて送信信号を生成して出力する送信部（１４）とを備え、前記送信部は、前記バイフェーズデコード部の出力データの各シンボルを複数の信号レベルのいずれかにマッピングするマッピング部を含み、当該マッピング部の出力データに基づいて送信信号を生成し、前記送信データは、バイフェーズマーク変調が適用されたデータ部と、バイフェーズマーク変調が適用されていない非データ部とから構成され、前記バイフェーズデコード部は、前記非データ部を検出し、前記マッピング部は、前記バイフェーズデコード部が前記非データ部を検出すると、該非データ部をデータ部とは別のマッピングテーブルを用いてマッピングすることを特徴とする。これにより、バイフェーズマーク変調された送信データを送受信する際に、電磁放射をより低減でき、かつ伝送誤りをより低減することができる。
６
【手続補正００３】
【補正対象書類名】明細書
【補正対象項目名】０００７
【補正方法】変更
【補正の内容】
【０００７】
また、本発明の車載機器は、バイフェーズマーク変調機能を有し、さらに上記のデータ送信装置を備えることを特徴とする。これにより、バイフェーズマーク変調された送信データを送受信する際に、車載機器が有しているバイフェーズマーク変調機能に何ら変更を加えることなく、電磁放射をより低減でき、かつ伝送誤りをより低減することができる。
また、本発明のデータ受信装置（２２）は、受信信号に基づいて受信データを生成して出力するものであって、受信信号を受信する受信部（２６）と、受信部の出力データをバイフェーズマーク変調することによって受信データを生成して出力するバイフェーズエンコード部（２４）とを備え、前記受信信号は、データ部と非データ部とから構成され、前記受信部は、前記非データ部を検出し、前記バイフェーズエンコード部は、前記受信部が前記非データ部を検出すると、該非データ部を変換テーブルを用いて予め定められたビット列に変換することを特徴とする。これにより、バイフェーズマーク変調された送信データを送受信する際に、電磁放射をより低減でき、かつ伝送誤りをより低減することができる。
また、本発明の車載機器は、バイフェーズマーク復調機能を有し、さらに上記のデータ受信装置を備えることを特徴とする。これにより、バイフェーズマーク変調された送信データを送受信する際に、車載機器が有しているバイフェーズマーク復調機能に何ら変更を加えることなく、電磁放射をより低減でき、かつ伝送誤りをより低減することができる。
また、本発明のデータ伝送方法は、バイフェーズマーク変調が適用されたデータ部とバイフェーズマーク変調が適用されていない非データ部とから構成される送信データを伝送するためのデータ伝送方法であって、前記送信データのデータ部をバイフェーズマーク復調し、当該バイフェーズマーク変調結果の各シンボルを複数の信号レベルのいずれかにマッピングするステップと、前記送信データから非データ部を検出し、当該検出した非データ部をデータ部とは別のマッピングテーブルを用いてマッピングするステップと、前記データ部および前記非データ部のマッピング結果に基づいて送信信号を生成するステップと、生成した送信信号を伝送するステップと、伝送された送信信号を受信信号として受信するステップと、前記受信信号のうちの前記データ部に対応する部分をバイフェーズマーク変調するステップと、前記受信信号から前記非データ部に対応する部分を検出して、当該検出した部分を変換テーブルを用いて予め定められたビット列に変換するステップとを備えることを特徴とする。これにより、バイフェーズマーク変調された送信データを送受信する際に、送信側の機器が有している、転送すべき元データをバイフェーズマーク変調して送信データを生成する機能や、受信側の機器が有している、受信データをバイフェーズマーク復調して元データを再生する機能に何ら変更を加えることなく、電磁放射をより低減でき、かつ伝送誤りをより低減することができる。
また、本発明のデータ送受信装置は、バイフェーズマーク変調された送信データに基づいて送信信号を生成して出力するデータ送信部と、受信信号に基づいて受信データを生成して出力するデータ受信部とを備えたデータ送受信装置であって、前記データ送信部は、前記送信データをバイフェーズマーク復調するバイフェーズデコード部と、前記バイフェーズデコード部の出力データに基づいて送信信号を生成して出力する送信部とを備え、前記送信部は、前記バイフェーズデコード部の出力データの各シンボルを複数の信号レベルのいずれかにマッピングするマッピング部を含み、当該マッピング部の出力データに基づいて送信信号を生成し、前記送信データは、バイフェーズマーク変調が適用されたデータ部と、バイフェーズマーク変調が適用されていない非データ部とから構成され、前記バイフェーズデコード部は、前記送信データの非データ部を検出し、前記マッピング部は、前記バイフェーズデコード部が前記送信データの非データ部を検出すると、該非データ部をデータ部とは別のマッピングテーブルを用いてマッピングし、前記データ受信部は、前記受信信号を受信する受信部と、前記受信部の出力データをバイフェーズマーク変調することによって前記受信データを生成して出力するバイフェーズエンコード部とを備え、前記受信信号は、データ部と非データ部とから構成され、前記受信部は、前記受信信号の非データ部を検出し、前記バイフェーズエンコード部は、前記受信部が前記受信信号の非データ部を検出すると、該非データ部を変換テーブルを用いて予め定められたビット列に変換することを特徴とする。
【図面の簡単な説明】
７／３
【手続補正書】
【提出日】平成17年4月1日(2005.4.1)
【手続補正１】
【補正対象書類名】特許請求の範囲
【補正対象項目名】全文
【補正方法】変更
【補正の内容】
【特許請求の範囲】
【請求項１】
バイフェーズマーク変調された送信データに基づいて送信信号を生成して出力するデータ送信装置であって、
前記送信データをバイフェーズマーク復調するバイフェーズデコード部と、
前記バイフェーズデコード部の出力データに基づいて送信信号を生成して出力する送信部とを備え、
前記送信部は、前記バイフェーズデコード部の出力データの各シンボルを複数の信号レベルのいずれかにマッピングするマッピング部を含み、当該マッピング部の出力データに基づいて送信信号を生成し、
前記送信データは、バイフェーズマーク変調が適用されたデータ部と、バイフェーズマーク変調が適用されていない非データ部とから構成され、
前記バイフェーズデコード部は、前記非データ部を検出し、
前記マッピング部は、前記バイフェーズデコード部が前記非データ部を検出すると、該非データ部をデータ部とは別のマッピングテーブルを用いてマッピングすることを特徴とする、データ送信装置。
【請求項２】
前記マッピング部は、ある基準レベルに対する各シンボルの信号レベルの大小関係が１シンボル毎に常に反転するようにマッピングすることを特徴とする、請求項１に記載のデータ送信装置。
【請求項３】
バイフェーズマーク変調機能を有し、さらに請求項１に記載のデータ送信装置を備えることを特徴とする、車載機器。
【請求項４】
受信信号に基づいて受信データを生成して出力するデータ受信装置であって、
前記受信信号を受信する受信部と、
前記受信部の出力データをバイフェーズマーク変調することによって前記受信データを生成して出力するバイフェーズエンコード部とを備え、
前記受信信号は、データ部と非データ部とから構成され、
前記受信部は、前記非データ部を検出し、
前記バイフェーズエンコード部は、前記受信部が前記非データ部を検出すると、該非データ部を変換テーブルを用いて予め定められたビット列に変換することを特徴とする、データ受信装置。
【請求項５】
前記受信部は、前記受信信号の各シンボルの信号レベルに基づいて、該信号レベルに応じたデータを出力する判定部を含むことを特徴とする、請求項４に記載のデータ受信装置。
【請求項６】
前記受信部は、前記受信信号から再生されたクロック信号に基づいて前記出力データを生成することを特徴とする、請求項４に記載のデータ受信装置。
【請求項７】
バイフェーズマーク復調機能を有し、さらに請求項４に記載のデータ受信装置を備えることを特徴とする、車載機器。
【請求項８】
バイフェーズマーク変調が適用されたデータ部とバイフェーズマーク変調が適用されていない非データ部とから構成される送信データを伝送するためのデータ伝送方法であって、
前記送信データのデータ部をバイフェーズマーク復調し、当該バイフェーズマーク変調結果の各シンボルを複数の信号レベルのいずれかにマッピングするステップと、
前記送信データから非データ部を検出し、当該検出した非データ部をデータ部とは別のマッピングテーブルを用いてマッピングするステップと、
前記データ部および前記非データ部のマッピング結果に基づいて送信信号を生成するステップと、
生成した送信信号を伝送するステップと、
伝送された送信信号を受信信号として受信するステップと、
前記受信信号のうちの前記データ部に対応する部分をバイフェーズマーク変調するステップと、
前記受信信号から前記非データ部に対応する部分を検出して、当該検出した部分を変換テーブルを用いて予め定められたビット列に変換するステップとを備えた、データ伝送方法。
【請求項９】
バイフェーズマーク変調された送信データに基づいて送信信号を生成して出力するデータ送信部と、受信信号に基づいて受信データを生成して出力するデータ受信部とを備えたデータ送受信装置であって、
前記データ送信部は、前記送信データをバイフェーズマーク復調するバイフェーズデコード部と、前記バイフェーズデコード部の出力データに基づいて送信信号を生成して出力する送信部とを備え、
前記送信部は、前記バイフェーズデコード部の出力データの各シンボルを複数の信号レベルのいずれかにマッピングするマッピング部を含み、当該マッピング部の出力データに基づいて送信信号を生成し、
前記送信データは、バイフェーズマーク変調が適用されたデータ部と、バイフェーズマーク変調が適用されていない非データ部とから構成され、
前記バイフェーズデコード部は、前記送信データの非データ部を検出し、
前記マッピング部は、前記バイフェーズデコード部が前記送信データの非データ部を検出すると、該非データ部をデータ部とは別のマッピングテーブルを用いてマッピングし、
前記データ受信部は、前記受信信号を受信する受信部と、前記受信部の出力データをバイフェーズマーク変調することによって前記受信データを生成して出力するバイフェーズエンコード部とを備え、
前記受信信号は、データ部と非データ部とから構成され、
前記受信部は、前記受信信号の非データ部を検出し、
前記バイフェーズエンコード部は、前記受信部が前記受信信号の非データ部を検出すると、該非データ部を変換テーブルを用いて予め定められたビット列に変換することを特徴とする、データ送受信装置。
【手続補正２】
【補正対象書類名】明細書
【補正対象項目名】全文
【補正方法】変更
【補正の内容】
【発明の詳細な説明】
【技術分野】
【０００１】
本発明は、データ送信装置、データ受信装置およびデータ伝送方法に関し、より特定的には、バイフェーズマーク変調された送信データを伝送するためのデータ送信装置、データ受信装置およびデータ伝送方法に関する。
【背景技術】
【０００２】
従来、２台の機器間でデジタルオーディオデータを転送する際には、例えばＳ／ＰＤＩＦ（Ｓｏｎｙ／Ｐｈｉｌｉｐｓ  Ｄｉｇｉｔａｌ  Ｉｎｔｅｒｆａｃｅ）のフォーマットに規定されているように、一般にバイフェーズマーク変調が用いられる。バイフェーズマーク変調では、図１８に示すように、元データの各ビットが２つの論理値でそれぞれ表される。バイフェーズマーク変調後において、元データの論理「１」については１ビット期間の中央で状態遷移が生じ（例えば０→１または１→０）、元データの論理「０」については１ビット期間の中央でも状態遷移が生じない（例えば０→０または１→１）。さらに、元データの各ビットの境界では論理値が必ず反転する（つまりバイフェーズマーク変調後において、直前の論理値が０なら１に、１なら０に反転する）。
【０００３】
このように、バイフェーズマーク変調を用いれば、元データの各ビットの境界において論理値が必ず変化するため、元データにおいて０や１が連続するような場合でも、別途クロック信号を送信することなく、受信側の機器は転送データからクロック信号を容易に再生することができる。
【０００４】
図１９に、Ｓ／ＰＤＩＦのフレーム構成を示す。Ｓ／ＰＤＩＦのフレームはデータ部とヘッダ部で構成され、データ部にはバイフェーズマーク変調が適用される。
【０００５】
ところで、近年、車内ＬＡＮを利用して車載機器間のデータ転送を実現するための通信プロトコルとして、ＭＯＳＴ（Ｍｅｄｉａ  Ｏｒｉｅｎｔｅｄ  Ｓｙｓｔｅｍｓ  Ｔｒａｎｓｐｏｒｔ）と呼ばれる通信プロトコルがある。ＭＯＳＴでは、フレーム（ＭＯＳＴフレーム）単位でデータ転送が行われるが、ＭＯＳＴフレームにもこのバイフェーズマーク変調が適用される。
【０００６】
図２０に、従来のＭＯＳＴの送受信装置の代表的な構成を示す。送受信装置９０には、ＭＯＳＴコントローラ９１、Ｅ／Ｏ変換器９２、Ｏ／Ｅ変換器９３が設けられている。ＭＯＳＴコントローラ９１には送信データが入力され、ＭＯＳＴコントローラ９１は、所定の処理を行い、バイフェーズマーク変調されたＭＯＳＴフレームをＥ／Ｏ変換器９２へと出力する。Ｅ／Ｏ変換器９２は、ＭＯＳＴコントローラ９１からのＭＯＳＴフレーム（電気信号）を光信号に変換し、光ファイバ９４を通じて光信号を他の送受信装置へ出力する。一方、送受信装置９０には、光ファイバ９５を通じて他の送受信装置からの光信号が入力される。入力された光信号は、Ｏ／Ｅ変換器９３によって電気信号に変換され、ＭＯＳＴフレームとしてＭＯＳＴコントローラ９１に入力される。ＭＯＳＴコントローラ９１は、ＭＯＳＴフレームに対して所定の処理を行って、受信データを出力する。
【０００７】
なお、ＭＯＳＴはリング型のＬＡＮであり、ＰＯＦ（プラスチック光ファイバ）を用いたデータ転送に最適化された通信プロトコルではあるが、伝送媒体としてツイストペアケーブルや同軸ケーブルなどの導線を利用することもできる。導線を利用することのメリットとしては、扱いが容易であることが挙げられる。
【０００８】
ところが、バイフェーズマーク変調を用いたデータ転送は、クロック信号の転送が不要となる反面、所定のデータ転送速度を実現するのに必要となる伝送帯域が増大してしまう。例えば、図２０に示すように、２５Ｍｂｐｓの実効転送速度を実現するために、ＭＯＳＴでは５０Ｍｂｐｓのデータ転送速度が必要となる。よって、車載機器などから出力されるバイフェーズマーク変調された送信データをそのまま車内ネットワークに送出すると、伝送媒体として外部に影響を与える可能性の少ないツイストペアケーブルを用いたとしても、外部に放出される電磁放射の影響は無視できなくなる。
【０００９】
そこで、上記の問題を解決するために、ＭＯＳＴコントローラ９１から出力された送信データの各２ビットを１シンボルとして所定の信号レベルにマッピングして伝送することが考えられる（例えば、特許文献１参照。）。
【特許文献１】国際公開第０２／３００７５号パンフレット（第１６図、第１７図）
【００１０】
図２１に、ＭＯＳＴフレームをツイストペアケーブルで伝送する際の送受信装置の構成例を示す。図２１において、ＭＯＳＴコントローラ９１から出力されたＭＯＳＴフレーム（シリアルデータ）は、ｓ／ｐ変換部９７において２ビット毎のパラレルデータに変換される。８値マッピング部９８は、ｓ／ｐ変換部９７から順次出力される２ビットのデータを１シンボルとして所定の信号レベルにマッピングする（より正確には直前のシンボルに対する信号レベルの変動量に対して各シンボルをマッピングしているのであるが、ここでは詳細な説明を省略する。）。図２２に、この８値マッピング部９８の処理結果の一例を示す。この８値マッピング部９８の処理結果は、Ｄ／Ａ変換部９９においてアナログ信号に変換された後、差動ドライバ１００を通じてツイストペアケーブル１０５に出力される。なお、図示は省略するが、送受信装置９６には、８値マッピング部９８の後段においてロールオフフィルタ等のデジタルフィルタが設けられ、Ｄ／Ａ変換部９９の後段などにおいてアナログフィルタが設けられる。
【００１１】
一方、差動レシーバ１０４にはツイストペアケーブル１０６を通じて受信した他のデータ伝送装置からの信号が入力される。この受信信号は、差動レシーバ１０４を通じてＡ／Ｄ変換部１０３に入力され、デジタル信号に変換される。Ａ／Ｄ変換部１０３からの出力データは８値判定部１０２に供給され、各シンボルが、その信号レベルに基づいて２ビットのパラレルデータに変換される。８値判定部１０２から出力された２ビット毎のパラレルデータはｐ／ｓ変換部１０１においてシリアルデータに変換され、ＭＯＳＴコントローラ９１に入力される。ＭＯＳＴコントローラ９１は、入力されたＭＯＳＴフレームに基づいて受信データを出力する。
【００１２】
このように、ＭＯＳＴコントローラ９１から出力された送信データの各２ビットを１シンボルとして所定の信号レベルにマッピングして伝送することにより、１ビットを１シンボルとして伝送する場合に比べて、シンボルレートを半分に抑えることができ、電磁放射を低減することができる。なお、図２２に示すようにシンボル毎に信号レベルの極性が常に反転するようにマッピングすることによって、送信信号には常にシンボル周波数の半分の周波数成分が含まれることになるので、受信側の機器において、ＰＬＬ（Ｐｈａｓｅ  Ｌｏｃｋ  Ｌｏｏｐ）による、より確実なクロック再生が可能となる。
【発明の開示】
【発明が解決しようとする課題】
【００１３】
しかしながら、図２２に示すようなマッピングによって１シンボルで２ビット分の情報を伝送する場合、各シンボルを８つの信号レベルのいずれかにマッピング（以下、このようなマッピングを８値マッピングと称す。）しているため、受信側において信号レベルを判定するための閾値の間隔が狭くなってしまい、伝送誤りが発生しやすいという問題がある。
【００１４】
それゆえに、本発明は、バイフェーズマーク変調された送信データを送受信する際に、電磁放射をより低減でき、かつ伝送誤りをより低減することのできるデータ送信装置、データ受信装置およびデータ伝送方法を提供することを目的とする。
【課題を解決するための手段】
【００１５】
本発明は、上記課題を解決するために以下の構成を採用した。なお、括弧内の参照符号等は、本発明の理解を助けるために、後述する実施形態との対応関係を示したものであって、本発明の範囲を何ら限定するものではない。
【００１６】
本発明のデータ送信装置（１０）は、バイフェーズマーク変調された送信データに基づいて送信信号を生成して出力するものであって、送信データをバイフェーズマーク復調するバイフェーズデコード部（１２）と、バイフェーズデコード部の出力データに基づいて送信信号を生成して出力する送信部（１４）とを備え、前記送信部は、前記バイフェーズデコード部の出力データの各シンボルを複数の信号レベルのいずれかにマッピングするマッピング部を含み、当該マッピング部の出力データに基づいて送信信号を生成し、前記送信データは、バイフェーズマーク変調が適用されたデータ部と、バイフェーズマーク変調が適用されていない非データ部とから構成され、前記バイフェーズデコード部は、前記非データ部を検出し、前記マッピング部は、前記バイフェーズデコード部が前記非データ部を検出すると、該非データ部をデータ部とは別のマッピングテーブルを用いてマッピングすることを特徴とする。これにより、バイフェーズマーク変調された送信データを送受信する際に、電磁放射をより低減でき、かつ伝送誤りをより低減することができる。
【００１７】
また、本発明の車載機器は、バイフェーズマーク変調機能を有し、さらに上記のデータ送信装置を備えることを特徴とする。これにより、バイフェーズマーク変調された送信データを送受信する際に、車載機器が有しているバイフェーズマーク変調機能に何ら変更を加えることなく、電磁放射をより低減でき、かつ伝送誤りをより低減することができる。
【００１８】
また、本発明のデータ受信装置（２２）は、受信信号に基づいて受信データを生成して出力するものであって、受信信号を受信する受信部（２６）と、受信部の出力データをバイフェーズマーク変調することによって受信データを生成して出力するバイフェーズエンコード部（２４）とを備え、前記受信信号は、データ部と非データ部とから構成され、前記受信部は、前記非データ部を検出し、前記バイフェーズエンコード部は、前記受信部が前記非データ部を検出すると、該非データ部を変換テーブルを用いて予め定められたビット列に変換することを特徴とする。これにより、バイフェーズマーク変調された送信データを送受信する際に、電磁放射をより低減でき、かつ伝送誤りをより低減することができる。
【００１９】
また、本発明の車載機器は、バイフェーズマーク復調機能を有し、さらに上記のデータ受信装置を備えることを特徴とする。これにより、バイフェーズマーク変調された送信データを送受信する際に、車載機器が有しているバイフェーズマーク復調機能に何ら変更を加えることなく、電磁放射をより低減でき、かつ伝送誤りをより低減することができる。
【００２０】
また、本発明のデータ伝送方法は、バイフェーズマーク変調が適用されたデータ部とバイフェーズマーク変調が適用されていない非データ部とから構成される送信データを伝送するためのデータ伝送方法であって、前記送信データのデータ部をバイフェーズマーク復調し、当該バイフェーズマーク変調結果の各シンボルを複数の信号レベルのいずれかにマッピングするステップと、前記送信データから非データ部を検出し、当該検出した非データ部をデータ部とは別のマッピングテーブルを用いてマッピングするステップと、前記データ部および前記非データ部のマッピング結果に基づいて送信信号を生成するステップと、生成した送信信号を伝送するステップと、伝送された送信信号を受信信号として受信するステップと、前記受信信号のうちの前記データ部に対応する部分をバイフェーズマーク変調するステップと、前記受信信号から前記非データ部に対応する部分を検出して、当該検出した部分を変換テーブルを用いて予め定められたビット列に変換するステップとを備えることを特徴とする。これにより、バイフェーズマーク変調された送信データを送受信する際に、送信側の機器が有している、転送すべき元データをバイフェーズマーク変調して送信データを生成する機能や、受信側の機器が有している、受信データをバイフェーズマーク復調して元データを再生する機能に何ら変更を加えることなく、電磁放射をより低減でき、かつ伝送誤りをより低減することができる。
【００２１】
また、本発明のデータ送受信装置は、バイフェーズマーク変調された送信データに基づいて送信信号を生成して出力するデータ送信部と、受信信号に基づいて受信データを生成して出力するデータ受信部とを備えたデータ送受信装置であって、前記データ送信部は、前記送信データをバイフェーズマーク復調するバイフェーズデコード部と、前記バイフェーズデコード部の出力データに基づいて送信信号を生成して出力する送信部とを備え、前記送信部は、前記バイフェーズデコード部の出力データの各シンボルを複数の信号レベルのいずれかにマッピングするマッピング部を含み、当該マッピング部の出力データに基づいて送信信号を生成し、前記送信データは、バイフェーズマーク変調が適用されたデータ部と、バイフェーズマーク変調が適用されていない非データ部とから構成され、前記バイフェーズデコード部は、前記送信データの非データ部を検出し、前記マッピング部は、前記バイフェーズデコード部が前記送信データの非データ部を検出すると、該非データ部をデータ部とは別のマッピングテーブルを用いてマッピングし、前記データ受信部は、前記受信信号を受信する受信部と、前記受信部の出力データをバイフェーズマーク変調することによって前記受信データを生成して出力するバイフェーズエンコード部とを備え、前記受信信号は、データ部と非データ部とから構成され、前記受信部は、前記受信信号の非データ部を検出し、前記バイフェーズエンコード部は、前記受信部が前記受信信号の非データ部を検出すると、該非データ部を変換テーブルを用いて予め定められたビット列に変換することを特徴とする。
【発明を実施するための最良の形態】
【００２２】
以下、本発明の一実施形態に係るデータ送信装置およびデータ受信装置について図面を参照して説明する。図１に、データ送信装置の構成を示す。図１において、データ送信装置１０には、図示しない送信側の機器から出力された、バイフェーズマーク変調された送信データが入力される。データ送信装置１０は、入力された送信データをバイフェーズマーク復調するバイフェーズデコード部１２と、バイフェーズデコード部１２の出力データを伝送路へ出力するのに適した電気信号に変換する送信部１４とを備える。送信部１４において生成された電気信号は、送信信号としてツイストペアケーブルなどの導線を通じて伝送される。なお、ここでは送信部１４が電気信号を出力するものとして説明するが、本発明はこれに限らず、送信部が光信号を出力しても構わない。また、送信側の機器からデータ送信装置１０に入力されるバイフェーズマーク変調された送信データも光信号であっても構わない。
【００２３】
図２に、元データおよびバイフェーズデコード部１２の入出力の関係を示す。送信側の機器は、受信側の機器へ転送すべきデータ（元データ）をバイフェーズマーク変調して出力する機能を有している。バイフェーズデコード部１２は、この送信側の機器においてバイフェーズマーク変調された送信データをバイフェーズマーク復調する。この結果、図２に示すように、バイフェーズデコード部１２の出力データは元データに相当するデータとなる。
【００２４】
図３に、送信部１４の構成を示す。ただし、図３は送信部の構成の一例にすぎず、ここではバイフェーズデコード部１２の出力データの各ビットを１シンボルとして所定の４つの信号レベルのいずれかに順次マッピングし、そうして得られた信号をツイストペアケーブルを用いて差分伝送する（つまり、ツイストペアケーブルの１対の線で、それぞれ極性の反転した信号を伝送する）場合の構成を示している。
【００２５】
図３において、送信部１４は、バイフェーズデコード部１２の出力データに対して４値マッピング（この処理の詳細は後述する）を行う４値マッピング部１６と、４値マッピング部１６から出力されたデジタル信号をアナログ信号に変換するＤ／Ａ変換部１８と、Ｄ／Ａ変換後の信号に基づいてツイストペアケーブルの１対の線に互いに対称的な信号を送信する差動ドライバ２０とを備える。なお、図示は省略するが、４値マッピング部１６の後段においてロールオフフィルタ等のデジタルフィルタが設けられ、Ｄ／Ａ変換部１８の後段などにはアナログフィルタが適宜に設けられる。
【００２６】
図４および図５を参照して、４値マッピング部１６の動作について説明する。
【００２７】
４値マッピング部１６は、バイフェーズデコード部１２の出力データの各シンボル（ここでは１ビットのデータ）を、図４に示すような４つの信号レベル（＋１．５、＋０．５、−０．５、−１．５）のいずれかに順次マッピングする。ただし、これらの信号レベルの値は単なる一例に過ぎない。これら４つの信号レベルは、基準レベル（ここではレベル零）を境にして上位レベル（＋１．５、＋０．５）と下位レベル（−０．５、−１．５）とに区分され、送信データの各シンボルは、上位レベルと下位レベルに交互にマッピングされる。このマッピングは、４値マッピング部１６が保持しているマッピングテーブルに従って行われる。４値マッピング部１６は、図５に示すように、マッピングしようとするシンボルの符号と、このマッピングしようとするシンボルの直前のシンボルの信号レベルとに基づいて信号レベルを決定する。例えば、マッピングしようとするシンボルの符号が１であって、その直前のシンボルの信号レベルが＋１．５であった場合には、マッピングしようとするシンボルは−０．５の信号レベルにマッピングされることになる（図５参照）。
【００２８】
図６に、４値マッピング部１６が保持しているマッピングテーブルの具体例を示す。なお、図６に示すマッピングテーブルにおいて、括弧内の数字は直前の信号レベルとの差を示しており、後述するデータ受信装置では、この差に基づいて、マッピング処理前のデータを再生する。つまり、直前のシンボルとの信号レベルの差が−３、−１、＋１、＋３のいずれかであれば、送信データは０であると判定することができ、一方、直前のシンボルとの信号レベルの差が−２、＋２のいずれかであれば、送信データは１であると判定することができる。このように、連続するシンボル間の信号レベルの差に対してデータを乗せて伝送すれば、データを再生する際に、基準となる信号レベル（例えばグランドレベル）が不要となる。これは、データ送信装置とデータ受信装置とで基準となる信号レベルが異なる場合に特に有効である。ただし、本発明はこれに限定されず、例えば、直前のシンボルの信号レベルに関係なく、シンボル０については＋０．５または−０．５の信号レベルにマッピングし、シンボル１については＋１．５または−１．５の信号レベルにマッピングするようにしてもよいし、シンボル０とシンボル１をそれぞれ２値のレベルにマッピングするようにしてもよい。
【００２９】
図７にデータ受信装置の構成を示す。図７において、データ受信装置２２は、バイフェーズエンコード部２４と受信部２６を含んでいる。受信部２６には、図１に示したデータ送信装置１０から送信された信号がツイストペアケーブルを通じて入力される。図８に、受信部２６の構成の一例を示す。差動レシーバ３４は、ツイストペアケーブルの２本の線によって伝送された信号の差分を出力し、この出力は、Ａ／Ｄ変換部３２によってデジタル信号に変換される。Ａ／Ｄ変換部３２の出力データは差分算出部３０に入力され、差分算出部３０は、シンボル毎に、直前のシンボルとの間の信号レベルの差分を順次算出して出力する。図９に、受信信号と差分算出部３０の算出結果との関係を示す。この差分算出部３０の算出結果は、４値判定部２８に入力される。
【００３０】
４値判定部２８は、図１０に示す変換テーブルを参照して、差分算出結果を０または１の符号に順次変換して出力する。つまり、差分算出結果が−３、−１、＋１、＋３のいずれかであった場合には０を出力し、差分算出結果が−２または＋２であった場合には１を出力する。このようにして、４値判定部２８からデータが順次出力される。
【００３１】
４値判定部２８の出力データは、図７におけるバイフェーズエンコード部２４に入力される。バイフェーズエンコード部２４は、図１１に示すように、入力されたデータをバイフェーズマーク変調し、図示しない受信側の機器へと出力する。バイフェーズエンコード部２４の出力は、図１に示したバイフェーズデコード部１２の入力に相当する。受信側の機器は、バイフェーズマーク復調機能を有しており、このバイフェーズエンコード部２４の出力データに基づいて元データを再生することができる。
【００３２】
以上のように、本実施形態によれば、バイフェーズマーク変調された送信データをバイフェーズマーク復調してから伝送することによって、所定の実効転送速度を達成するために必要となる伝送ビットレートを半分に抑えることができる。これにより、例えばバイフェーズマーク変調された送信データを送受信する場合においても、電磁放射をより低減でき、かつ伝送誤りをより低減することができる。そして特に車内環境では電磁放射の影響が深刻な問題となるため、車載機器間でツイストペアケーブル等の導線を利用してデータ転送を行う場合に非常に有効である。しかも、既存の送信側の機器や受信側の機器の構成に特別な変更を要することなく、電磁放射をより低減でき、かつ伝送誤りをより低減することができる。
【００３３】
なお、本実施形態では、データ送信装置およびデータ受信装置がそれぞれデータ送信機能およびデータ受信機能のみを備えていたが、これらの装置をデータ送信機能とデータ受信機能の両方の機能を備えたデータ送受信装置として構成しても構わない。
【００３４】
また、本実施形態では、送信部１４において４値マッピングを行うとしたが、本発明はこれに限らず、例えば図２２に示した８値マッピングなど、任意のマッピングを採用することができる。ただし、送信側から受信側へクロック信号を別途伝送する必要がないように、受信側において受信信号からクロック信号を再生することが容易となるマッピング方式（例えば、図４や図２２に示したように、ある基準レベルに対する各シンボルの信号レベルの大小関係が１シンボル毎に常に反転するようなマッピング方式）を採用するのが好ましい。これにより、バイフェーズマーク変調を用いたデータ転送の利点の一つ（受信側において受信信号からクロック信号を容易に再生することができるという利点）を損なうことなく、本発明の効果を得ることができる。
【００３５】
また、本実施形態では、送信側の機器とデータ送信装置が独立しているような構成としたが、本発明はこれに限らず、例えばデータ送信装置が送信側の機器に内蔵されていても構わない。受信側の機器およびデータ受信装置についても同様である。
【００３６】
なお、図１９に示したように、Ｓ／ＰＤＩＦではフレーム単位でデータ転送が行われ、データ部にはバイフェーズマーク変調が適用される。このＳ／ＰＤＩＦフレームのヘッダ部に関しては、前述したように、バイフェーズマーク変調は適用されない。したがって、本発明をＳ／ＰＤＩＦのシステムに適用するときには、ヘッダ部に関してはバイフェーズデコード部１２で復調することはできないので、ヘッダ部とデータ部とをデータ送信装置からデータ受信装置へ個別に伝送したり、バイフェーズデコード部１２から出力されたデータ部に対してヘッダ部に対応したデータを付加したり、データ部のマッピングテーブルとは別のマッピングテーブルに従ってヘッダ部のマッピングを行うといった対策が必要となることは言うまでもない。
【００３７】
以下、データ部のマッピングテーブルとは別のマッピングテーブルに従ってヘッダ部のマッピングを行った場合のデータ伝送動作の一例を示す。
【００３８】
図１２は、Ｓ／ＰＤＩＦにおけるフレーム構造を示す図である。図１２の通り、Ｓ／ＰＤＩＦには３種類のヘッダ（Ｂヘッダ、Ｍヘッダ、Ｗヘッダ）が規定されており、ヘッダ部の直前のデータの値によってそれぞれ２通りのヘッダ構造が規定されている。具体的には、ヘッダ部の直前のデータ値が０の場合は（ａ）（ｂ）（ｃ）のヘッダ構造が、１の場合は（ｄ）（ｅ）（ｆ）のヘッダ構造がそれぞれ規定されている。
【００３９】
まずデータ送信装置では、図１のバイフェーズデコード部１２において、送信側の機器から入力される送信データについて、上記図１２（ａ）（ｂ）（ｃ）あるいは（ｄ）（ｅ）（ｆ）のヘッダ構造をパターンマッチングして、Ｂヘッダ、Ｍヘッダ、Ｗヘッダを識別する。ヘッダを識別すると、図３の４値マッピング部１６は、データ部用とは別のヘッダ部用のマッピングテーブルを用いてヘッダ部のマッピングを行う。図１３は、ヘッダ部用マッピングテーブルの一例である。このマッピングテーブルでは、ヘッダ部を計４シンボルにマッピングし、最初の２シンボルで信号レベル０を繰り返し、続く２シンボルで３種類のヘッダを区別するマッピングを規定している。例えばＢヘッダの場合は、「０、０、＋１．５、−０．５」または「０、０、−１．５、＋０．５」を順にマッピングする。なおここでは、ヘッダ部の直前にマッピングされたシンボルの信号レベルが、基準レベルに対して上だった場合は「０、０、−１．５、＋０．５」を、下だった場合は「０、０、＋１．５、−０．５」をマッピングする。これは、前述の通り、本マッピング方式ではクロック信号の再生を容易にするために、基準レベルに対する各シンボルの信号レベルの大小関係が１シンボル毎に常に反転することが好ましく、当該ヘッダ部４シンボルを挟んだ前後のデータ部のシンボルにおいて、この大小関係の順番が維持されているのが好ましいからである。具体的には、ヘッダ部の直前にマッピングされたシンボルの信号レベルが基準レベルに対して上だった場合は、ヘッダ部の直後のシンボルの信号レベルは基準レベルに対して下にマッピングされ、ヘッダ部の直前にマッピングされたシンボルの信号レベルが基準レベルに対して下だった場合は、ヘッダ部の直後のシンボルの信号レベルは基準レベルに対して上にマッピングされることが好ましい。またこれにより、ヘッダ部の最後のシンボル（４シンボル目）を、その直後のシンボルの信号レベルが基準レベルに対して下にマッピングされるべき場合は、基準レベルに対して上に、その直後のシンボルの信号レベルが基準レベルに対して上にマッピングされるべき場合は、基準レベルに対して下にマッピングすることで、ヘッダ部の直後にマッピングされたシンボルを受信側で変換する際、通常のデータ部用の変換テーブル（図１０）を用いて変換することが可能である。このため、本マッピングテーブル例では、Ｂ、Ｍ、Ｗ各ヘッダについて、ヘッダ部の最後のシンボル（４シンボル目）を基準レベルに対して上と下にマッピングする場合の２通りのマッピングパターンをそれぞれ用意している。
【００４０】
図１４は、ヘッダ部の直前のシンボルの信号レベルが基準レベルに対して下にマッピングされた時、各ヘッダを図１３のマッピングテーブルに基づいてマッピングした際の、各シンボルの信号レベルを示す図である。Ｓ／ＰＤＩＦについてはヘッダの種類が３種類しか規定されていないが、このマッピング方法を採用すれば、さらに多くの種類のヘッダを区別することが可能であるため、例えば図１４（ｄ）のパターンを４種類目のヘッダとして適用することが可能である。
【００４１】
図１５は、ヘッダ部の直前のシンボルの信号レベルが基準レベルに対して上にマッピングされた時、各ヘッダを図１３のマッピングテーブルに基づいてマッピングした際の、各シンボルの信号レベルを示す図である。やはりこちらも例えば図１５（ｄ）のパターンを４種類目のヘッダとして適用することが可能である。
【００４２】
図１３のマッピングテーブルに基づいてマッピングされたヘッダ部を含む送信信号の波形は、図１６のような波形となる。つまり、ヘッダ部の直前のシンボルの信号レベルが基準レベルに対して上にマッピングされた場合は図１６（ｂ）のような波形となり、下にマッピングされた場合は図１６（ａ）のような波形となる。
【００４３】
次にデータ受信装置では、図１６の波形を持つ受信信号を受信し、図８の差分算出部３０では、ヘッダ部を受信すると、その差分値からヘッダ部を識別し、図７のバイフェーズエンコード部２４ではこのヘッダ部に相当する箇所に図１７の変換テーブルに基づいて変換されたヘッダ部を挿入して受信データを生成し、受信側の機器へ送出する。ここで、前述の通り、Ｓ／ＰＤＩＦにおいてはＢヘッダ、Ｍヘッダ、Ｗヘッダは、その直前のデータ値により図１２の（ａ）（ｂ）（ｃ）もしくは（ｄ）（ｅ）（ｆ）のそれぞれ２種類ずつの構造を有する。従って、該バイフェーズエンコード部２４は、ヘッダの直前のデータの判定値が０の場合と１の場合とで、変換するビット列を変える必要がある。例えばＢヘッダの場合、直前のデータ判定値が０の場合は「１１１０１０００」に、１の場合は「０００１０１１１」に変換する。
【００４４】
以上のように、ヘッダ部特有のマッピングテーブルおよび変換テーブルを用いることにより、バイフェーズマーク変調が適用されないヘッダについても伝送可能であり、本発明を適用することができる。
【００４５】
なお、本発明は、図２０に示したバイフェーズマーク変調を行ったデータを伝送するＭＯＳＴのシステムにも同様に適用することが可能である。
【産業上の利用可能性】
【００４６】
本発明は、例えば、車内ＬＡＮ等において複数の機器間でバイフェーズマーク変調されたデータをやりとりするようなシステムに好適である。
【図面の簡単な説明】
【００４７】
【図１】本発明の一実施形態に係るデータ送信装置の構成を示すブロック図
【図２】バイフェーズデコード部１２の入出力の関係を示す図
【図３】送信部１４の構成を示すブロック図
【図４】４値マッピング部１６の動作を説明するための図
【図５】４値マッピング部１６の動作を説明するための図
【図６】４値マッピング部１６で参照されるマッピングテーブルを示す図
【図７】本発明の一実施形態に係るデータ受信装置の構成を示すブロック図
【図８】受信部２６の構成を示すブロック図
【図９】差分算出部３０の動作を説明するための図
【図１０】４値判定部２８の動作を説明するための図
【図１１】バイフェーズエンコード部２４の入出力の関係を示す図
【図１２】Ｓ／ＰＤＩＦにおけるフレーム構造を示す図
【図１３】ヘッダ部用マッピングテーブルの一例を示す図
【図１４】各ヘッダをマッピングした際の各シンボルの信号レベルを示す図
【図１５】各ヘッダをマッピングした際の各シンボルの信号レベルを示す他の図
【図１６】図１３のマッピングテーブルに基づいてマッピングされたヘッダ部を含む送信信号の波形を示す図
【図１７】ヘッダ部用変換テーブルの一例を示す図
【図１８】バイフェーズマーク変調について説明するための図
【図１９】Ｓ／ＰＤＩＦフレームの構成を示す図
【図２０】ＭＯＳＴフレームを光ファイバを通じて送受信する従来の送受信装置の構成を示す図
【図２１】ＭＯＳＴフレームを導線を通じて送受信する従来の送受信装置の構成を示す図
【図２２】８値マッピングについて説明するための図
【符号の説明】
【００４８】
１０ データ送信装置
１２ バイフェーズデコード部
１４ 送信部
１６ ４値マッピング部
１８ Ｄ／Ａ変換部
２０ 差動ドライバ
２２ データ受信装置
２４ バイフェーズエンコード部
２６ 受信部
２８ ４値判定部
３０ 差分算出部
３２ Ａ／Ｄ変換部
３４ 差動レシーバ
【手続補正３】
【補正対象書類名】図面
【補正対象項目名】全図
【補正方法】変更
【補正の内容】
【図１】
2005074220.tif 000024
【図２】
2005074220.tif 000025
【図３】
2005074220.tif 000026
【図４】
2005074220.tif 000027
【図５】
2005074220.tif 000028
【図６】
2005074220.tif 000029
【図７】
2005074220.tif 000030
【図８】
2005074220.tif 000031
【図９】
2005074220.tif 000032
【図１０】
2005074220.tif 000033
【図１１】
2005074220.tif 000034
【図１２】
2005074220.tif 000035
【図１３】
2005074220.tif 000036
【図１４】
2005074220.tif 000037
【図１５】
2005074220.tif 000038
【図１６】
2005074220.tif 000039
【図１７】
2005074220.tif 000040
【図１８】
2005074220.tif 000041
【図１９】
2005074220.tif 000042
【図２０】
2005074220.tif 000043
【図２１】
2005074220.tif 000044
【図２２】
2005074220.tif 000045
【国際調査報告】
2005074220.tif 000046
2005074220.tif 000047
2005074220.tif 000048
2005074220.tif 000049